(57)【要約】  【課題】圧縮機を上方に載置する冷蔵庫において、断熱箱体の底面付近の空気の対流を効率良くすることを目的とする。  【解決手段】断熱箱体の天面後方を庫内側に凹ませて形成した機械室に圧縮機を載置する冷蔵庫であり、断熱箱体の底面と前記底面カバーとの空間は幅広ダクト状に形成され、その空間内に蒸発器に付着した霜を溶かして貯留するための蒸発皿とファンを配置するものであり、圧縮機が位置しない断熱箱体底面の空間を利用して、冷蔵庫の底板等の下面に対する結露を効率よく防止することができ、底面に構成した機械室の構成を簡素化して、冷蔵庫の最下段に設けられた貯蔵室内の収納容積の増大、収納性を高める冷蔵庫を提供することを目的とする。【選択図】図４
2007064597.tif 000002
【特許請求の範囲】
【請求項１】
外箱と内箱と前記外箱と前記内箱との間に設けた断熱材とよりなる断熱箱体と、前記断熱箱体の天面後方を庫内側に凹ませて形成した機械室と、前記機械室に載置される冷凍サイクルの圧縮機と、前記断熱箱体内を冷却するための蒸発器と、前記蒸発器に付着した霜を溶かして貯留するための蒸発皿と、前記断熱箱体の底面と前記底面を覆う底面カバーと、側面カバーの冷蔵庫背面側には背面カバーを有し、前記断熱箱体の前記底面と前記底面カバーとの空間を幅広のダクト状にした底面ダクトを形成し、前記底面ダクトに凝縮器と蒸発皿とファンを載置し、前記ファンの運転による強制対流により、前記断熱箱体の前記底面前方から、凝縮器、蒸発皿、ファンの順で風が流れるように構成し、外気温度が低い場合には、前記圧縮機の運転停止直後から前記ファンを所定時間、運転させることを特徴とする冷蔵庫。
【請求項２】
外気温度が低い場合には、前記圧縮機運転後、所定時間経過したのちに所定時間、前記ファンを運転させることを特徴とする冷蔵庫。
【請求項３】
外気温度が低い場合には、前記圧縮機の運転、停止にかかわらず、定期的に所定時間、前記ファンを運転させることを特徴とする冷蔵庫。
【請求項４】
前記ファンを回転数可変型ファンとし、外気温度が低い場合には、前記圧縮機の運転停止直後から前記回転数可変型ファンを所定時間、低速で運転させることを特徴とする冷蔵庫。
【請求項５】
前記ファンを回転数可変型ファンとし、外気温度が低い場合には、前記圧縮機運転後、所定時間経過したのちに所定時間、前記回転数可変型ファンを低速で運転させることを特徴とする冷蔵庫。
【請求項６】
前記ファンを回転数可変型ファンとし、外気温度が低い場合には、前記圧縮機の運転、停止にかかわらず、定期的に所定時間、前記回転数可変型ファンを低速で運転させることを特徴とする冷蔵庫。
【発明の詳細な説明】
【技術分野】
【０００１】
本発明は圧縮機を天面部に載置した冷蔵庫に関するものである。
【背景技術】
【０００２】
近年、冷蔵庫は地球環境保護の観点から更なる省エネルギー化が進むとともに、その使い勝手や収納性の向上が求められている。
【０００３】
従来この種の冷蔵庫は、冷蔵庫本体の底部に設けられた機械室に圧縮機、凝縮機（放熱パイプ）、送風機、蒸発皿等を配置する構成となっていた（例えば、特許文献１参照）。
【０００４】
図１４は、特許文献１に記載された従来の冷蔵庫の機械室の構成を示すものであり、図１５は同従来の冷蔵庫における圧縮機及び送風機の運転タイミング図である。
【０００５】
図１４に示す１は冷蔵庫本体、３は機械室カバー、４は機械室、５は圧縮機、６は送風機、１９は底板、２０は蒸発皿、２１は蒸発皿放熱パイプ、２２は圧縮機５から発生する音を遮音するためのカバー、２３は底板１９に固定された放熱パイプであり、機械室４内に圧縮機５、送風機６、凝縮器としての蒸発皿放熱パイプ２１、蒸発皿２０が配置されている。
【０００６】
以上の構成において、図１５に示すように外気温が低い場合には、圧縮機５の運転停止後、送風機６を所定時間駆動させることで、空気の対流が悪い場合に発生する冷蔵庫の底板１９等の下面に対する結露を防止している。
【特許文献１】特開平５−８７４３２号公報
【発明の開示】
【発明が解決しようとする課題】
【０００７】
しかしながら、上記従来の構成では、機械室４内に容積の大きい圧縮機５が配置されているため機械室４内の通風抵抗が大きく、送風機６の運転による空気の循環、対流が阻害されことになる。
【０００８】
このため、外気温が低い場合に、圧縮機５の運転停止後、送風機６を所定時間駆動させることで、空気の対流が悪い場合に発生する冷蔵庫の底板１９等の下面に対する結露を防止するのだが、対流促進の効率が悪く、結露を十分に防止できない。
【０００９】
また、機械室４内に容積の大きい圧縮機５が配置されているため、冷蔵庫本体１の最下段に設けられた貯蔵室の収納容積が減少することになる。
【００１０】
本発明は、上記従来の課題を解決するもので、断熱箱体の天面後方に圧縮機を載置する冷蔵庫において、圧縮機が位置しない断熱箱体底面の空間を利用して、冷蔵庫の底板等の下面に対する結露を効率よく防止することができ、底面に構成した機械室の構成を簡素化して、冷蔵庫の最下段に設けられた貯蔵室内の収納容積の増大、収納性を高める冷蔵庫を提供することを目的とする。
【課題を解決するための手段】
【００１１】
外箱と内箱と前記外箱と前記内箱との間に設けた断熱材とよりなる断熱箱体と、前記断熱箱体の天面後方を庫内側に凹ませて形成した機械室と、前記機械室に載置される冷凍サイクルの圧縮機と、前記断熱箱体内を冷却するための蒸発器と、前記蒸発器に付着した霜を溶かして貯留するための蒸発皿と、前記断熱箱体の底面と前記底面を覆う底面カバーと、側面カバーの冷蔵庫背面側には背面カバーを有し、前記断熱箱体の前記底面と前記底面カバーとの空間を幅広のダクト状にした底面ダクトを形成し、前記底面ダクトに凝縮器と蒸発皿とファンを載置し、前記ファンの運転による強制対流により、前記断熱箱体の前記底面前方から、凝縮器、蒸発皿、ファンの順で風が流れるように構成し、外気温度が低い場合には、前記圧縮機の運転停止直後から前記ファンを所定時間、運転させるものである。
【００１２】
これによって、外気温度が低い場合に、ファンを運転させることで、断熱箱体の底面を循環する空気の循環量が非常に大きくなり、底面等の下面に対する結露を効率よく防止することができ、底面に構成した機械室の構成を簡素化して、冷蔵庫の最下段に設けられた貯蔵室内の収納容積の増大、収納性を高めることが可能となる。
【発明の効果】
【００１３】
本発明の冷蔵庫は、断熱箱体の天面後方に圧縮機を載置する冷蔵庫において、圧縮機が位置しない断熱箱体底面の空間を利用して、外気温度が低い場合に、ファンを運転させることで、断熱箱体の底面を循環する空気の循環量が非常に大きくなり、底面等の下面に対する結露を効率よく防止することができ、底面に構成した機械室の構成を簡素化して、貯蔵室内の収納容積の増大、収納性を高め、小さいスペースで大容量を実現することができる。
【発明を実施するための最良の形態】
【００１４】
請求項１に記載の発明は、外箱と内箱と前記外箱と前記内箱との間に設けた断熱材とよりなる断熱箱体と、前記断熱箱体の天面後方を庫内側に凹ませて形成した機械室と、前記機械室に載置される冷凍サイクルの圧縮機と、前記断熱箱体内を冷却するための蒸発器と、前記蒸発器に付着した霜を溶かして貯留するための蒸発皿と、前記断熱箱体の底面と前記底面を覆う底面カバーと、側面カバーの冷蔵庫背面側には背面カバーを有し、前記断熱箱体の前記底面と前記底面カバーとの空間を幅広のダクト状にした底面ダクトを形成し、前記底面ダクトに凝縮器と蒸発皿とファンを載置し、前記ファンの運転による強制対流により、前記断熱箱体の前記底面前方から、凝縮器、蒸発皿、ファンの順で風が流れるように構成し、外気温度が低い場合には、前記圧縮機の運転停止直後から前記ファンを所定時間、運転させることにより、断熱箱体の底面と底面カバーとの間を直線的な筒状のダクトとして構成し、ファンを設けることで、従来から主であった圧縮機が存在しないことも加えて、非常に風路としての抵抗を減少させることができる。そのため、外気温度が低い場合には、前記圧縮機の運転停止直後から前記ファンを所定時間、運転させることにより、ダクト内、特に底面を循環する空気の循環量を増加させることができるので、底面等の下面に対する結露を効率よく防止することが可能となる。
【００１５】
また、ファンによる強制対流により断熱箱体の底面前方から空気が底面ダクトに流入し、圧縮機停止直後で、まだ温かい凝縮器により熱交換された温かい空気が、冷蔵庫の底面等を通過するので、底面等の下面に対する結露をより効率よく防止することが可能となる。
【００１６】
また、風路を断熱箱体の底面に幅広ダクト状に構成しているので、断熱箱体の底面の貯蔵室側への突出を比較的小さく抑えることができ、結果的に貯蔵室内の収納容積を増大させ、収納性を高めることが可能となる。
【００１７】
さらに、圧縮機を載置している断熱箱体の天面後方の凹ませた箇所を極力小さく構成することで、貯蔵室内の見た目の圧迫感もなくデザイン的にも良いものに仕上る。
【００１８】
請求項２に記載の発明は、外気温度が低い場合には、前記圧縮機運転後、所定時間経過したのちに所定時間、前記ファンを運転させることにより、圧縮機の運転により温度が上昇した凝縮器により熱交換された温かい空気が、冷蔵庫の底面等を通過するので、底面等の下面に対する結露をより効率よく防止することが可能となる。
【００１９】
請求項３に記載の発明は、外気温度が低い場合には、前記圧縮機の運転、停止にかかわらず、定期的に所定時間、前記ファンを運転させることにより、定期的に確実にファンによる強制対流が行われることにより、空気が、冷蔵庫の底面等を通過するので、底面等の下面に対する結露をより効率よく防止することが可能となる。
【００２０】
請求項４に記載の発明は、前記ファンを回転数可変型ファンとし、外気温度が低い場合には、前記圧縮機の運転停止直後から前記回転数可変型ファンを所定時間、低速で運転させることにより、冷蔵庫から発生する騒音を極力抑えながら、底面を循環する空気の循環量を増加させることができるので、底面等の下面に対する結露を効率よく防止することができるとともに低騒音な冷蔵庫の供給が可能となる。
【００２１】
請求項５に記載の発明は、前記ファンを回転数可変型ファンとし、外気温度が低い場合には、前記圧縮機運転後、所定時間経過したのちに所定時間、前記回転数可変型ファンを低速で運転させることにより、冷蔵庫から発生する騒音を極力抑えながら、底面を循環する空気の循環量を増加させることができるので、底面等の下面に対する結露を効率よく防止することができるとともに低騒音な冷蔵庫の供給が可能となる。
【００２２】
請求項６に記載の発明は、前記ファンを回転数可変型ファンとし、外気温度が低い場合には、前記圧縮機の運転、停止にかかわらず、定期的に所定時間、前記回転数可変型ファンを低速で運転させることにより、冷蔵庫から発生する騒音を極力抑えながら、定期的に確実にファンによる強制対流が行われることにより、空気が、冷蔵庫の底面等を通過するので、底面等の下面に対する結露をより効率よく防止することができるとともに低騒音な冷蔵庫の供給が可能となる。
【００２３】
以下、本発明による冷蔵庫の実施の形態について、図面を参照しながら説明する。なお、この実施の形態によってこの発明が限定されるものではない。
【００２４】
（実施の形態１）
図１は本発明の実施の形態１における冷蔵庫の正面図、図２は図１のＡ−Ａ断面図、図３は同実施の形態における冷蔵庫の機械室の構成図、図４は同実施の形態における冷蔵庫の底面ダクトの縦断面図、図５は同実施の形態における冷蔵庫の底面ダクトの分解斜視図、図６は同実施の形態の冷蔵庫における底面付近の上面図、図７は同実施の形態の冷蔵庫における圧縮機とファンの運転タイミング図である。
【００２５】
図において、冷蔵庫本体１０１は断熱箱体１０２内に複数に区画された貯蔵室を有しており、上部より冷蔵室１０３、製氷室１０４及びこの製氷室１０４に並設された多目的室１０５、野菜室１０６、冷凍室１０７の順に配置されている。多目的室１０５は、冷凍、冷蔵、チルド、パーシャルフリージング等の温度帯の切替室や調理、熟成、解凍、乾燥、保温等の処理機能を備えた貯蔵室である。
【００２６】
各貯蔵室の前面開口部には、例えばウレタンのような発泡断熱材を発泡充填した断熱扉が設けられ、冷蔵室１０３には回転式の扉１０８、製氷室１０４、多目的室１０５、野菜室１０６、冷凍室１０７には、それぞれ引き出し式の扉１０９、１１０、１１１、１１２が設けられている。
【００２７】
断熱箱体１０２は、ＡＢＳなどの樹脂体を真空成型した内箱１１３とプリコート鋼板などの金属材料を用いた外箱１１４とで構成された空間に発泡断熱材１１５を注入してなる断熱壁を備えている。発泡断熱材１１５はたとえば硬質ウレタンフォームやフェノールフォームやスチレンフォームなどが用いられる。発泡材としてはハイドロカーボン系のシクロペンタンを用いると、温暖化防止の観点でさらによい。
【００２８】
次に、断熱箱体１０２の各貯蔵室について説明する。
【００２９】
冷蔵室１０３は冷蔵保存のために凍らない温度を下限に通常１〜５℃で設定されている。貯蔵室内は上方を圧縮機１２０を収納するための凹み部が突出して形成され、食品などを整理して収納するための複数の棚１２１を設けている。最下段には肉魚などの保鮮性向上のためのチルドケース１２２を設け比較的低めの温度、たとえば−３〜１℃で設定されている。
【００３０】
製氷室１０４は、氷を生成して貯留するために通常−１８℃で設定される。庫内は氷を生成するための製氷機構１２６を設け、氷を貯留する貯氷容器１２３を収容している。
【００３１】
野菜室１０６は、冷蔵室１０３と同等もしくは若干高い温度設定の２℃〜７℃とすることが一般的で、低温にするほど葉野菜の鮮度を長期間維持することが可能である。庫内は野菜などの食品を整理して収納できる野菜室容器１２４を収容している。
【００３２】
冷凍室１０７は、冷凍保存のために通常−２２〜−１８℃で設定されているが、冷凍保存状態の向上のために、たとえば−３０や−２５℃の低温で設定されることもある。庫内は食品を整理して収納できる冷凍室容器１２５を収容している。
【００３３】
野菜室１０６と冷凍室１０７の背面に冷却室１３０が設けられ、冷却室１３０は断熱性を有する仕切壁１３１で野菜室１０６及び冷凍室１０７を仕切っている。
【００３４】
冷却室１３０には、庫内の空気を熱交換させて冷気に変換する蒸発器１３２と、各貯蔵室に冷気を送るための冷却ファン１３３をその上方に位置させ、冷却時に蒸発器１３２に付着する霜を除霜するためのヒータなどで構成された除霜装置１３４が備えられいる。また、除霜された水を貯留するための蒸発皿１３５は、断熱箱体１０２の底面付近に配置されるよう構成されている。
【００３５】
次に、断熱箱体１０２の天面部について説明する。
【００３６】
断熱箱体１０２の天面後方のコーナー部には、冷蔵室１０３の庫内側に突出する形で凹ませた機械室１３６が形成されている。
【００３７】
機械室１３６は、樹脂成型で形成された機械室の外郭１３７を鋼板製の外箱１１４を切り欠いた箇所に嵌めこんだ形で係合して接合して形成され、その内部には、機械室の外郭１３７の底面に載置された圧縮機１２０、凝縮器の一部となる予冷凝縮器１３８等、冷凍サイクルの高圧側の機器が収容され、これらを繋ぐ冷媒配管１３９が複数出入りする。
【００３８】
圧縮機１２０は冷蔵庫本体１０１の上部への設置を考慮して低騒音、低振動化を図りやすい内部低圧型でかつ往復動型の圧縮機を適用している。また、冷凍サイクル内の冷媒としては、地球環境保全の観点から地球温暖化係数が小さい可燃性冷媒であるイソブタンを使用している。
【００３９】
発熱を伴なう高圧側の機器である圧縮機１２０、予冷凝縮器１３８の放熱促進を図るため、強制通風用の放熱ファン１４０が圧縮機１２０と予冷凝縮器１３８との中間位置即ち機械室１３６の幅方向の中間位置に配置されている。放熱ファン１４０を中間にして強制通風の上流側に予冷凝縮器１３８、下流側に圧縮機１２０を配置し、上流側と下流側を区画形成している。
【００４０】
また、機械室１３６は上方と背方とが開放されており、この開放面を覆う形で機械室カバー１４１を機械室の外郭１３７に係合させて取り付けている。機械室カバー１４１は、樹脂で形成され、機械室１３６内の外部との空気の流通口１４２を備えている。空気の流通口１４２は、機械室１３６の幅方向に強制対流作用が行われるように構成されている。
【００４１】
次に、断熱箱体１０２の底面部について説明する。
【００４２】
断熱箱体１０２の底面部は、外箱１１４を構成する底面板１５０とその下方を覆う底面カバー１５１とによってできる空間内に底面ダクト１５２が形成されている。
【００４３】
底面ダクト１５２は、前述のように外箱の底面板１５０と底面カバー１５１とによって、幅広で高さの低いトンネル状のダクトを形成し、その内部には冷凍サイクルの凝縮器１４３と除霜された水を貯留するための蒸発皿１３５、ダクト内に強制対流作用を起こすためのファン１５３を収容している。
【００４４】
また底面ダクト１５２は、冷蔵庫の背方が開放されており、この開放面を覆う形で背面カバー１５４を外箱の両側面板１５５に係合させて取り付けている。背面カバー１５４は一般的に金属で形成され、底面ダクト１５２内の温かい湿った空気を排出する排熱孔１５６を備えている。
【００４５】
外箱の底面板１５０は、外箱の両側面板１５５の下方部を連結するように構成され、一般的に厚みが薄く比較的加工性に優れた鋼板を用いることが多く、本実施の形態では、断熱箱体１０２の前方では設置床面に対してほぼ水平面を形成しているが、その後方の一部は上側に凹ませるよう段差部１６０を設けて、その段差部１６０を境に下方に位置する第一の底面部１６１と上方に位置する第二の底面部１６２とを形成している。
【００４６】
一方、底面カバー１５１は、形状の自由性を有する樹脂で成型することが一般的であり、外箱の両側面板１５５の端面か外箱の底面板１５０にビス等により固定され取り付けられる。また、底面カバー１５１には外部との空気の流通口１６３を備え、冷蔵庫の底面前方に略全幅に渡って複数個で配置構成される。
【００４７】
また、底面カバー１５１は、それ自体の強度を確保するために凹凸形状を有し、なかでも外箱の底面板１５０に向かって突出する凸部１６４を設けていて、段差部１６０近傍の第一の底面部１６１と当接するように形成されている。
【００４８】
さらに、冷蔵庫本体１０１の強度を向上するために、底面カバー１５１の一部を、外箱の両側面板１５５とを連結する金属製の連結板１６５を設けることもあり、その場合は冷蔵庫本体を前後に移動させるキャスター（図示せず）を設けると使い勝手向上にも繋がる。
【００４９】
段差部１６０は、略全幅に渡って形成され、前述のように底面カバー１５１から外箱の底面板１５０に突出する凸部１６４を設けることで、底面ダクト１５２を幅方向に一部閉塞するように構成している。その段差部１６０から冷蔵庫の前方空間を第一の区画１６６、他方の冷蔵庫の後方空間を第二の区画１６７として区画形成する。
【００５０】
凝縮器１４３は、底面ダクト１５２内であって冷蔵庫の前方側、即ち蒸発皿１３５よりも強制対流において上流側に位置させるよう配置する。凝縮器１４３は一般的に冷媒配管にフィンを貫通及び巻付けたフィン＆チューブ式を用いることが多く、底面ダクト１５２の高さ空間の略全高で構成されている。
【００５１】
蒸発皿１３５は、断熱箱体１０２の貯蔵室側に極力突出しないように、幅広で低背タイプで構成され、底面ダクト１５２の内部にあって、上方に空気を対流させるための空間を有するとともに、底面カバー１５１に当接するよう配置される。なお、樹脂製の底面カバー１５１と蒸発皿１３５を一体で成型する場合もあり、蒸発皿１３５の位置ずれや対流させるための空間を確保する上では非常に有効である。
【００５２】
また、蒸発皿１３５は第一の区画１６６と第二の区画１６７に跨って配置され、第一の区画１６６に位置する蒸発皿１３５の表面積を大きくするよう構成されるとともに、第一区画１６６では、底面ダクト１５２のほぼ全幅に渡って設けられ、その蒸発皿１３５の上方空間の高さ寸法は、蒸発皿１３５の高さ寸法よりも小さくなるように配置されることが望ましい。
【００５３】
また、底面カバーの流通口１６３は冷蔵庫の前方に配置、背面カバー１５４の排熱孔１５６は冷蔵庫の後方に配置され、その間に凝縮器１４３と蒸発皿１３５とファン１５３が設置されるよう構成される。ファン１５３は底面カバー１５１の流通口１６３から吸込み、背面カバー１５４の排熱孔１５６から排気されるよう第二の区画１６７の中に冷蔵庫の上方から見て斜めに配置される。
【００５４】
また、ファン１５３は略直方体の樹脂製の外郭１７０で囲われた軸流ファンを有するモーター駆動の送風機で、ファン１５３の樹脂製の外郭１７０は、冷蔵庫前方から見てその周壁の底壁を底面カバー１５１と嵌め合わせ状態で係合固定されているとともに、周壁の前壁、底壁、後壁、上壁は、底面カバーの凸部１６４及び段差部１６０、底面カバー１５１、背面カバー１５４、第二の底面部１６２と当接させて吸込み区画と排気区画を区画形成している。
【００５５】
以上のように構成された冷蔵庫において、以下その作用を説明する。
【００５６】
外気温度が低い場合は、冷却運転時（特に運転初期時）にファン１５３を運転すると、過凝縮による冷媒循環不足に陥り、冷却不良に至ることがあり、通常、ファン１５３は停止させておくことが多いが、その場合、空気の対流不足により、冷蔵庫本体１の底面板１５０等の下面に結露が発生し、露が床面に滴下してしまうなどの問題が発生するため、外気温度が低い場合には、図７に示すように、圧縮機１２０の運転停止直後から、ファン１５３を所定時間運転させることで、圧縮機１２０の停止直後で、まだ温かい凝縮器１４３により熱交換された温かい空気が、冷蔵庫本体１の底面板１５０等を通過するので、底面板１５０等の下面に対する結露をより効率よく防止することが可能となる。
【００５７】
また、圧縮機１２０を断熱箱体１０２の天面後方の機械室１３６に載置して、従来主であった最下方の貯蔵室である冷凍室１０７の後方領域には配置しないため、断熱箱体１０２の底面付近に形成した底面ダクト１５２を幅広く低い背寸法で構成し、かつその領域を広く利用することができ、底面ダクト１５２を冷蔵庫本体の前方から後方に向かって同じような断面積で、直線的な筒状に構成することができるため、ダクト内を強制対流させる上で非常に通風抵抗を小さくし、対流する風量を飛躍的に増加させることができるため、ファン１５３を運転した場合には、冷蔵庫本体１の底面板１５０等を通過する空気の循環量を増大でき、底面板１５０等の下面に対する結露をより効率よく防止することが可能となる。
【００５８】
以上のように構成された圧縮機上部配置型の冷蔵庫によると、機械室１３６の形成によって最上段の貯蔵室である冷蔵室１０３に一部突出して、その収納容積を減少させるが、圧縮機１２０を極力低い背寸法のものを使用し、機械室１３６内を放熱ファン１４０で強制対流させることで、その容積を小さくするとともに、圧縮機１２０を最下方の後方領域には配置せず、前述したような幅広い底面ダクトを効率良く、かつ合理的に構成することができるので、低い背寸法の蒸発皿１３５、最小限の段差部１６０とすることができ、結果的に貯蔵室の収納容積の増大に繋がり、収納性を高めることが可能となる。
【００５９】
また、冷却室１３０を冷凍室１０７とその上方の野菜室１０６の背面に配置し、蒸発器１３２と冷却ファン１３３を概ね冷凍室１０７と野菜室１０６の高さ範囲内で設け、蒸発器１３２を高さ方向に延長させ奥行き寸法を短縮することにより、冷却室１３０の厚みを薄くして庫内容積として寄与しない無効スペースを減少し、野菜室１０６、冷凍室１０７の収納容積を増大し収納性を高めることができる。また断熱箱体１０２の天面後方の機械室１３６は使用者が手の届き難い、いわば無効スペースに近い空間であったため、その箇所に圧縮機１２０を位置させることは極めて冷蔵庫本体１０１の内容積をうまく活用できることになる。
【００６０】
さらに野菜室１０６、冷凍室１０７を引出し式の貯蔵室とすると、野菜室容器１２４、冷凍室容器１２５の奥に収納された食品なども楽に出し入れできて使い勝手の向上も図れる。
【００６１】
（実施の形態２）
図８は本発明の実施の形態２における冷蔵庫の圧縮機とファンの運転タイミング図である。
【００６２】
図８に示すように、外気温度が低い場合には、圧縮機１２０の運転後、所定時間経過したのちに所定時間、ファン１５３を運転させることにより、圧縮機１２０の運転により温度が上昇した凝縮器１４３により熱交換された温かい空気が、冷蔵庫本体１の底面板１５０等を通過するので、底面板１５０等の下面に対する結露をより効率よく防止することが可能となる。
【００６３】
この場合、圧縮機１２０の運転開始直後にファン１５３を運転しないのは、過凝縮による冷媒循環量不足の発生を防止するためであり、運転開始から所定時間、ファン１５３の運転をしないことで、ある程度の冷媒を循環させた上でファン１５３を運転するものである。
【００６４】
（実施の形態３）
図９は本発明の実施の形態３における冷蔵庫の圧縮機とファンの運転タイミング図である。
【００６５】
図９に示すように、外気温度が低い場合には、圧縮機１２０の運転、停止にかかわらず、定期的に所定時間、ファン１５３を運転させることにより、定期的に確実にファン１５３による強制対流が行われることにより、空気が、冷蔵庫本体１の底面板１５０等を通過するので、底面板１５０等の下面に対する結露をより効率よく防止することが可能となる。
【００６６】
（実施の形態４）
図１０は本発明の実施の形態４における冷蔵庫の底面ダクトの縦断面図であり、図１１は同実施の形態４における冷蔵庫の圧縮機と回転数可変型ファンの運転タイミング図である。
【００６７】
図１０に示すように１７１は、回転数可変型ファンである。
【００６８】
外気温度が低い場合には、圧縮機１２０の運転停止直後から回転数可変型ファン１７１を所定時間、低速で運転させることにより、冷蔵庫から発生する騒音を極力抑えながら、底面板１５０等を循環する空気の循環量を増加させることができるので、底面１５０等の下面に対する結露を効率よく防止することができるとともに低騒音な冷蔵庫の供給が可能となる。
【００６９】
（実施の形態５）
図１２は本発明の実施の形態５における冷蔵庫の圧縮機と回転数可変型ファンの運転タイミング図である。
【００７０】
外気温度が低い場合には、圧縮機１２０の運転後、所定時間経過したのちに所定時間、回転数可変型ファン１７１を低速で運転させることにより、冷蔵庫から発生する騒音を極力抑えながら、底面板１５０等を循環する空気の循環量を増加させることができるので、底面板１５０等の下面に対する結露を効率よく防止することができるとともに低騒音な冷蔵庫の供給が可能となる。
【００７１】
（実施の形態６）
図１３は本発明の実施の形態６における冷蔵庫の圧縮機と回転数可変型ファンの運転タイミング図である。
【００７２】
外気温度が低い場合には、圧縮機１２０の運転、停止にかかわらず、定期的に所定時間、回転数可変型ファン１５３を低速で運転させることにより、冷蔵庫から発生する騒音を極力抑えながら、定期的に確実にファン１５３による強制対流が行われることにより、空気が、冷蔵庫の底面板１５０等を通過するので、底面板１５０等の下面に対する結露をより効率よく防止することができるとともに低騒音な冷蔵庫の供給が可能となる。
【産業上の利用可能性】
【００７３】
以上のように、本発明にかかる冷蔵庫は、断熱箱体の天面後方に圧縮機を載置する冷蔵庫において、圧縮機が位置しない断熱箱体下面の空間を利用して、冷蔵庫の底板等の下面に対する結露を効率よく防止することができ、底面に構成した機械室の構成を簡素化して、冷蔵庫の最下段に設けられた貯蔵室内の収納容積の増大、収納性を高める冷蔵庫を提供することができるため、同様のレイアウトを有する他の冷却機器にも適用できる。
【図面の簡単な説明】
【００７４】
【図１】本発明の実施の形態１における冷蔵庫の正面図
【図２】図１のＡ−Ａ断面図
【図３】同実施の形態における冷蔵庫の機械室の構成図
【図４】同実施の形態における冷蔵庫の底面ダクトの縦断面図
【図５】同実施の形態における冷蔵庫の底面ダクトの分解斜視図
【図６】同実施の形態の冷蔵庫における底面付近の上面図
【図７】同実施の形態の冷蔵庫における圧縮機とファンの運転タイミング図
【図８】本発明の実施の形態２における冷蔵庫の圧縮機とファンの運転タイミング図
【図９】本発明の実施の形態３における冷蔵庫の圧縮機とファンの運転タイミング図
【図１０】本発明の実施の形態４における冷蔵庫の底面ダクトの縦断面図
【図１１】本発明の実施の形態４における冷蔵庫の圧縮機と回転数可変型ファンの運転タイミング図
【図１２】本発明の実施の形態５における冷蔵庫の圧縮機と回転数可変型ファンの運転タイミング図
【図１３】本発明の実施の形態６における冷蔵庫の圧縮機と回転数可変型ファンの運転タイミング図
【図１４】従来技術における冷蔵庫の機械室の構成図
【図１５】従来技術における冷蔵庫の圧縮機と送風機の運転タイミング図
【符号の説明】
【００７５】
１０１  冷蔵庫本体
１０２  断熱箱体
１０３  冷蔵室
１０４  製氷室
１０５  多目的室
１０６  野菜室
１０７  冷凍室
１０８  回転式の扉
１０９，１１０，１１１，１１２  引き出し式の扉
１１３  内箱
１１４  外箱
１１５  発泡断熱材
１２０  圧縮機
１２１  棚
１２２  チルドケース
１２３  貯氷容器
１２４  野菜室容器
１２５  冷凍室容器
１３０  冷却室
１３１  仕切壁
１３２  蒸発器
１３３  冷却ファン
１３４  除霜装置
１３５  蒸発皿
１３６  機械室
１３７  外郭
１３８  予冷凝縮器
１３９  冷媒配管
１４０  放熱ファン
１４１  機械室カバー
１４３  凝縮器
１５０  底面板
１５１  底面カバー
１５２  底面ダクト
１５３  ファン
１５４  背面カバー
１５５  両側面板
１５６  排熱孔
１６０  段差部
１６１  第一の底面部
１６２  第二の底面部
１６３  流通口
１６４  凸部
１６５  連結板
１６６  第一の区画
１６７  第二の区画
１７０  外郭
１７１  回転数可変型ファン
【図１】
2007064597.tif 000003
【図２】
2007064597.tif 000004
【図３】
2007064597.tif 000005
【図４】
2007064597.tif 000006
【図５】
2007064597.tif 000007
【図６】
2007064597.tif 000008
【図７】
2007064597.tif 000009
【図８】
2007064597.tif 000010
【図９】
2007064597.tif 000011
【図１０】
2007064597.tif 000012
【図１１】
2007064597.tif 000013
【図１２】
2007064597.tif 000014
【図１３】
2007064597.tif 000015
【図１４】
2007064597.tif 000016
【図１５】
2007064597.tif 000017